(57)【要約】【課題】管理範囲・監視範囲を広く設定可能な置き忘れ防止等を図ることのできる携帯品管理システムを提供する。【解決手段】利用者イの所持する管理システム本体１は、中継器２との間で所定の交信範囲内で無線通信により交信可能にし、中継器２から出力した所定の信号に基づいて、また、中継器２との間の交信が途絶えたときに所定の警報信号を出力するように構成する。中継器２は、利用者イが所持、携帯する各種の携帯品に添付した管理ＩＣタグＴ１〜Ｔ５との間で所定の交信範囲内で無線通信により交信可能に構成する。管理ＩＣタグＴ１〜Ｔ５は、これらの管理ＩＣタグＴ１〜Ｔ５それぞれ自体を特定する所定の識別情報を含んで形成する所定の信号を出力するように構成する。また、管理ＩＣタグＴ１〜Ｔ５は、中継器２を介さずとも、管理システム本体１とも交信可能に構成してある。【選択図】図１
2007233510.tif 000002
【特許請求の範囲】
【請求項１】
利用者の所持する管理システム本体と、この管理システム本体から離れた位置に設けられる中継器と、利用者に係る携帯品に設けられる管理ＩＣタグとからなる携帯品管理システムであって、
管理システム本体は、中継器との間で所定の交信範囲内で無線通信により交信可能に構成されているとともに、中継器から出力される所定の信号に基づいて所定の警報信号を出力できるように構成され、かつ、中継器との間の交信が途絶えたときに所定の警報信号を出力できるように構成され、
中継器は、管理ＩＣタグとの間で所定の交信範囲内で無線通信により交信可能に構成されているとともに、管理ＩＣタグとの交信状態を示す所定の信号を管理システム本体に出力できるように構成され、
管理ＩＣタグは、管理ＩＣタグを特定する所定の識別情報を含んで形成される所定の信号を出力できるように構成されている、
ことを特徴とする携帯品管理システム。
【請求項２】
請求項１に記載の携帯品管理システムにおいて、管理システム本体は、中継器以外に管理ＩＣタグとの間で、直接、所定の交信範囲内で無線通信により交信可能に構成されているとともに、管理ＩＣタグとの間の交信が途絶えたときに所定の警報信号を出力できるように構成されていることを特徴とする携帯品管理システム。
【請求項３】
請求項１又は２に記載の携帯品管理システムにおいて、中継器は、管理システム本体から出力される所定の信号を基に駆動電力を生成する電力生成回路を有していることを特徴とする携帯品管理システム。
【請求項４】
請求項１から３のいずれかに記載の携帯品管理システムにおいて、管理ＩＣタグは、中継器又は管理システム本体から出力される所定の信号を基に駆動電力を生成する電力生成回路を有していることを特徴とする携帯品管理システム。
【請求項５】
請求項１から４のいずれかに記載の携帯品管理システムにおいて、警報信号の出力は、管理システム本体に設けられている音声発生器、バイブレータ、又はＬＥＤを駆動させるものであることを特徴とする携帯品管理システム。
【発明の詳細な説明】
【技術分野】
【０００１】
本発明は、利用者の所持する傘、カメラ等の各種の携帯品の置き忘れや紛失防止、あるいは盗難防止等に資することのできる携帯品管理システムに関する。
【背景技術】
【０００２】
従来、利用者の所持する携帯品の置き忘れ等を防止する携帯品管理システムとしては、利用者が送受信機を所持するとともに、利用者が所持携帯する傘等の携帯品に電波反射器を添付し、送受信機と電波反射器との間で無線通信を行って携帯品を管理・監視できるようにしたものが知られている（特許文献１参照）。
【０００３】
すなわち、この従来の携帯品管理システムは、所定周波数の電波を空間に輻射する利用者が所持する送信機と、利用者が所持携帯する携帯品に添付され、送信機から受信した電波のエネルギーを整流して電源とし、上記の所定周波数と異なる所定周波数の電波を空間に輻射する電波反射器と、この電波反射器からの輻射された電波を受信する利用者が所持する受信機と、この受信機から送出される信号によって警報を発する利用者が所持する警報器とからなり、送信機、受信機及び警報器は電池によって駆動されるように構成されているとともに、これらは一体的に構成されている。
【特許文献１】特開２０００−１８７７８７号公報
【発明の開示】
【発明が解決しようとする課題】
【０００４】
しかしながら、上記した従来の携帯品管理システムは、利用者が所持する送受信機と利用者の携帯品に添付された電波反射器との間の無線通信を利用するので、その管理範囲ないし監視範囲は送受信機の交信範囲（通信範囲）に限定され、使い勝手に劣るという欠点があった。例えば、利用者の携帯品がカメラで、このカメラによってセルフタイマーを用いて撮影しようとすると、送受信機を所持している利用者とカメラに添付されている電波反射器との間の距離が送受信機の交信範囲外となって警報が発せられてしまうという欠点があった。
【０００５】
そこで、本発明は、上記欠点を解決するためになされたものであって、その目的は、管理範囲ないし監視範囲を必要に応じて広げることのできる使い勝手に優れた携帯品管理システムを提供することにある。
【課題を解決するための手段】
【０００６】
本発明に係る携帯品管理システムは、上記目的を達成するために、利用者イの所持する管理システム本体１と、この管理システム本体１から離れた位置に設けられる中継器２と、利用者に係る携帯品に設けられる管理ＩＣタグ（電子荷札）Ｔ１〜Ｔ５とからなる携帯品管理システムであって、管理システム本体１は、中継器２との間で所定の交信範囲内で無線通信により交信可能に構成されているとともに、中継器２から出力される所定の信号に基づいて所定の警報信号を出力できるように構成され、かつ、中継器２との間の交信が途絶えたときに所定の警報信号を出力できるように構成され、管理ＩＣタグＴ１〜Ｔ５は、これら管理ＩＣタグＴ１〜Ｔ５を特定する所定の識別情報を含んで形成される所定の信号を出力できるように構成されていることを特徴としている。
このような構成からなる携帯品管理システムにおいて、管理ＩＣタグＴ１〜Ｔ５が管理システム本体１あるいは中継器２の交信範囲（通信範囲）から外れると管理システム本体１の警報信号の出力が行われる。また、中継器２が管理システム本体１の交信範囲内から外れると管理システム本体１の警報信号の出力が行われる。警報信号の出力により、音声発生器やバイブレータ又はＬＥＤ（Ｌｉｇｈｔ  Ｅｍｉｔｔｉｎｇ  Ｄｉｏｄｅ）が駆動されるので、利用者イは、携帯品の置き忘れ等に気が付くことができる。
また、本発明の携帯品管理システムにおいて、管理システム本体１は、中継器２以外に管理ＩＣタグＴ１〜Ｔ５との間で、直接、所定の交信範囲内で無線通信により交信可能に構成されているとともに、管理ＩＣタグＴ１〜Ｔ５との間の交信が途絶えたときに所定の警報信号を出力できるように構成されていることを特徴としている。
そして、本発明の携帯品管理システムにおいて、中継器２は、管理システム本体１から出力される所定の信号を基に駆動電力を生成する電力生成回路３０を有していることを特徴としている。
さらに、本発明の携帯品管理システムにおいて、管理ＩＣタグＴ１〜Ｔ５は、中継器２又は管理システム本体１から出力される所定の信号を基に駆動電力を生成する電力生成回路３３を有していることを特徴としている。
そして、本発明の携帯品管理システムにおいて、警報信号の出力は、管理システム本体１に設けられている音声発生器、バイブレータ、又はＬＥＤを駆動させるものであることを特徴としている。
【発明の効果】
【０００７】
以上のように構成された本発明に係る携帯品管理システムは、利用者イが常時所持する管理システム本体１と、各種携帯品に添付される管理ＩＣタグＴ１〜Ｔ５との間に中継器２が介在されているので、中継器２の交信範囲だけ管理システム本体１の交信範囲を広げることができ、使い勝手を向上させることができる。
【０００８】
また、本発明に係る携帯品管理システムにおいては、管理ＩＣタグＴ１〜Ｔ５が管理システム本体１との間でも交信することができるので、中継器２を介さずとも各携帯品を直接に管理、監視でき、より使い勝手を向上させることができる。
【０００９】
そして、本発明に係る携帯品管理システムにおいては、中継器２が管理システム本体１から出力される所定の信号を基に駆動電力を生成する電力生成回路３０を有しているので、中継器２を無電源式とすることができ、低コストに実施することができる。
【００１０】
さらに、本発明に係る携帯品管理システムにおいて、管理ＩＣタグＴ１〜Ｔ５が管理システム本体１又は中継器２から出力される所定の信号を基に駆動電力を生成する電力生成回路３３を有しているので、管理ＩＣタグＴ１〜Ｔ５を無電源式とすることができ、低コストに実施することができる。
【００１１】
また、本発明に係る携帯品管理システムにおいては、警報信号の出力で管理システム本体１に設けられている音声発生器、バイブレータ、又はＬＥＤを駆動させることができるから、利用者イに対して携帯品の置き忘れ、物忘れ等を確実に報知させることができる。  
【００１２】
なお、上記の課題を解決するための手段の項及び発明の効果の項においてそれぞれ付記した符号は、図面中に記載した構成各部を示す部分との参照を容易にするために付したもので、図面中の符号によって示された構造・形状によって本発明が限定されるものではない。
【発明を実施するための最良の形態】
【００１３】
以下、本発明を実施するための最良の形態を図面に基づいて説明する。図１は、本発明に係る携帯品管理システムの一使用例を示したもので、図中符号１は管理システム本体、２は中継器及びＴ１〜Ｔ５は管理ＩＣタグを示している。図示の例では、管理ＩＣタグを５個としているが、利用者イが所持、携帯する携帯品数に対応して１〜４個又は６個以上とすることもできる。
【００１４】
管理システム本体１は、利用者イの例えば上着のポケットに入れられており、中継器２は、利用者イとともに移動、持参等する例えばベビーカーに取り付けられ、管理ＩＣタグＴ１〜Ｔ５は、利用者イが所持、携帯する各種の携帯品にそれぞれ取り付けられている。図示の例では、管理ＩＣタグＴ１は、ベビーカーのポケット内に入れられている傘に取り付けられ、管理ＩＣタグＴ２は、ベビーカーのポケット内の所定の携帯品に取り付けられ、管理ＩＣタグＴ３は、利用者イのリュックサック内の所定の携帯品に取り付けられ、管理ＩＣタグＴ４は、リュックサック内の他の所定の携帯品に取り付けられ、そして、管理ＩＣタグＴ５は、現在、利用者イから少し離れている場所に、例えばタイマー撮影がセットされて置かれた利用者イが所持するカメラに取り付けられている。管理システム本体１、中継器２及び管理ＩＣタグＴ１〜Ｔ５の取り付けは、後述するように、取付紐３，１４，１６を利用して所持する携帯品それぞれに添付してもよいが、貼着等により携帯品それぞれに設けるようにしてもよい。
【００１５】
管理システム本体１の全体的形状は、例えば図２に示すように所定厚さを有する矩形カード状に形成されていて、その長手方向の両端には、取付紐３をセットする取付携帯孔４がそれぞれ設けられている。したがって、管理システム本体１は、取付紐３を介して利用者イの衣服、ベルト等に取り付けられることにより、管理システム本体１の脱落や紛失等を効果的に防止することができる。
【００１６】
また、管理システム本体１の正面側には、赤色や青色等の所定の色に点発光することのできる９個の発光ダイオードであるＬＥＤ５〜ＬＥＤ１３が互いに所定の間隔を保って配列することで設けられている。これらＬＥＤ５〜ＬＥＤ１３のうち、ＬＥＤ５〜ＬＥＤ９は管理ＩＣタグＴ１〜Ｔ５にそれぞれ対応していて、後述するように、異常の発生した管理ＩＣタグに対応したＬＥＤ５〜ＬＥＤ９を点滅点灯して利用者イに報知することができるように構成されている。そして、ＬＥＤ１０は、管理システム本体１に設けられている図示しないスイッチがＯＮされたときに点灯して管理システム本体１が駆動状態にセットされていることを利用者イに報知することができるように構成されている。なお、スイッチは、ＬＥＤ１０に対応して設けられている電源マークの部分を押釦式のスイッチにして構成することもできる。
【００１７】
また、上記のＬＥＤ１１〜ＬＥＤ１３のうち、ＬＥＤ１１は、管理システム本体１内に設けられている図示しないスピーカが駆動されるときに点滅点灯するように構成される。ＬＥＤ１２は、管理システム本体１内に設けられている図示しないバイブレータが駆動されるときに点滅点灯するように構成される。そして、ＬＥＤ１３は、管理システム本体１が、後述するように、中継器２との交信が途絶えたときに、点滅点灯して管理システム本体１と中継器２との間の交信が途絶えたことを利用者イに報知できるように構成されている。
【００１８】
中継器２は、これの全体的形状は、例えば図３に示すように所定厚さを有する例えば矩形カード状に形成されていて、その長手方向の両端には、取付紐１４をセットする取付携帯孔１５がそれぞれ設けられている。したがって、中継器２は、この取付紐１４を介して利用者イとともに移動、持参等するベビーカー等に取り付けることにより、中継器２の脱落や紛失等を効果的に防止することができる。
【００１９】
管理ＩＣタグＴ１〜Ｔ５は、これの全体的形状は、例えば図４に示すように所定厚さを有する例えば矩形カード状に形成されていて、これの長手方向の両端には、取付紐１６をセットする取付携帯孔１７がそれぞれ設けられている。したがって、管理ＩＣタグＴ１〜Ｔ５は、この取付紐１６を介して利用者イが所持、携帯するカメラや携帯電話機等の各種の携帯品に取り付けることにより、携帯品からの管理ＩＣタグＴ１〜Ｔ５自体の脱落や紛失等を効果的に防止することができる。ＩＣタグ自体は、ＲＦＩＤ（Ｒａｄｉｏ  Ｆｒｅｑｕｅｎｃｙ  Ｉｄｅｎｔｉｆｉｃａｔｉｏｎ：無線通信を利用した非接触による自動認識技術）を利用したもので、ＩＣチップと小型アンテナを内蔵して、リーダー／ライターと接触せずに電波で交信して情報をやりとりするものである。
【００２０】
なお、この管理ＩＣタグＴ１〜Ｔ５は、管理システム本体１あるいは中継器２との通信を可能として各種の携帯品に添付されればよいから、形状、大小等は特に限定されない。ただ図４に示すようにある程度の大きさを有して例えば取付紐１６を介した携帯品との着脱性を考慮することで、各種の携帯品に交換・取外し自在に設けることができる。
【００２１】
次に、図５のブロック図を用いて本発明に係る携帯品管理システムの電気的構成を説明する。先ず管理システム本体１から説明すると、この管理システム本体１には、メモリ１８に格納されているシステムプログラムデータ及びワーキングデータを用いて所定の演算処理を行う中央処理装置（ＣＰＵ）１９が内蔵されている。そして、このＣＰＵ１９には、アンテナ２０を有するとともに増幅回路及びフィルタ回路等を含んで構成される送受信回路２１が接続されている。この送受信回路２１と中継器２及び各管理ＩＣタグＴ１〜Ｔ５の送受信回路で用いられる電波は、例えばＵＨＦ帯（９３５ＭＨｚ）で、その交信距離（通信距離）は例えば５メートル前後のいわゆる微弱電波である。
【００２２】
またＣＰＵ１９には、Ｉ／Ｏユニット２２を介してＬＥＤ５〜ＬＥＤ１３を駆動制御するＬＥＤドライバ２３、図示しないスピーカを駆動制御する音声ドライバ２４及び図示しないバイブレータを駆動制御する振動ドライバ２５が接続されている。さらに、この管理システム本体１内には、管理システム本体１の駆動電源をなす電池２６と、この電池２６の電力を送受信回路２１等に供給する図示しないスイッチによって動作するスイッチ回路２７とを有している。
【００２３】
中継器２には、アンテナ２８を有する増幅回路及びフィルタ回路等を含んで構成される送受信回路２９と、アンテナ２８が受信した信号を整流して中継器２の駆動電源を生成する電力生成回路３０とが設けられている。なお、この中継器２には、電力生成回路３０が電力を生成していて中継器２が駆動状態にあることを報知するＬＥＤが設けられているときは、ＬＥＤドライバが設けられる。また、この電力生成回路３０の代わりに電池が設けられるときは、中継器２にはスイッチが設けられる。しかし、図示のように、電力生成回路３０を設けたときは、中継器２を低コストに実現することができる。
【００２４】
各管理ＩＣタグＴ１〜Ｔ５は同一構成としてあり、管理ＩＣタグＴ１を例に説明すると、この管理ＩＣタグＴ１は、周知の無線通信機能を備えた非接触式ＩＣカードと同様に、アンテナ３１を有する増幅回路及びフィルタ回路等を含んで構成される送受信回路３２と、アンテナ３１が受信した信号を整流して管理ＩＣタグＴ１自体の駆動電源を生成する電力生成回路３３とが設けられている。そして送受信回路３２内には、管理ＩＣタグＴ１自体の識別情報、いわゆるカードＩＤを記憶しているメモリが含まれていて、このカードＩＤを含む信号がアンテナ３１を経て外部の管理システム本体１あるいは中継器２に送出されるように構成されている。また、この送受信回路３２は、管理システム本体１及び中継器２の両方と交信できるように構成されている。
【００２５】
なお、この管理ＩＣタグＴ１には、電力生成回路３３が電力を生成していて管理ＩＣタグＴ１自体が駆動状態にあることを報知するＬＥＤが設けられているときは、ＬＥＤドライバが設けられる。また、この電力生成回路３３の代わりに電池が設けられるときは、管理ＩＣタグＴ１にはスイッチが設けられる。しかし、図示のように、電力生成回路３３を設けたときは、管理ＩＣタグＴ１を低コストに実現することができる。
【００２６】
以下、本発明に係る携帯品管理システムの制御動作を図６の説明図及び図７のフローチャートを用いて説明する。図６中、Ａ１は管理システム本体１の交信範囲（通信範囲）を示し、また、Ａ２は中継器２の交信範囲（通信範囲）を示している。管理システム本体１の交信範囲Ａ１内の管理ＩＣタグ（図示の例では、管理ＩＣタグＴ１，Ｔ５）は、管理システム本体１と直接交信しており、また、中継器２の交信範囲Ａ２内の管理ＩＣタグ（図示の例では、管理ＩＣタグＴ２，Ｔ３，Ｔ４）は、中継器２を介して管理システム本体１と交信していることになる。したがって、中継器２の交信範囲Ａ２内の管理ＩＣタグは、中継器２が管理システム本体１の交信範囲Ａ１外に位置したときは、管理システム本体１との交信が絶たれることを意味している。
【００２７】
さて、今、利用者イが所持している管理システム本体１の図示しないスイッチがＯＮされて管理システム本体１が駆動され、利用者イが所持、携帯する各種の携帯品の管理・監視が開始されたとする（ステップ１００肯定（Ｙ）。以下、ステップを「Ｓ」とする。）。この管理システム本体１の駆動状態は、ＬＥＤ１０が点灯して報知される。管理システム本体１の駆動中、中継器２が管理システム本体１の交信範囲Ａ１外に出たときは（Ｓ１０２否定（Ｎ））、管理システム本体１が中継器２から送出される信号を受信できなくなるので、ＣＰＵ１９は、管理システム本体１のＬＥＤ１１を点滅点灯させる。あるいは図示しないスピーカから所定の警報音を発生させる。あるいはＬＥＤ１２を点滅点灯させるとともに図示しないバイブレータを起動させて管理システム本体１を振動させる。あるいはＬＥＤ１３を点滅点灯させて中継器２が管理システム本体１の交信範囲Ａ１外に出て異常が発生したことの報知を行う（Ｓ１０４）。したがって、利用者イは、この報知により中継器２を管理システム本体１の交信範囲Ａ１内に戻すことができる。
【００２８】
管理ＩＣタグＴ１を取り付けている利用者イの所定の携帯品が管理システム本体１の交信範囲Ａ１外に出てその管理システム本体１の送受信回路２１が管理ＩＣタグＴ１からの信号を受信できなくなったとき、又は中継器２の交信範囲Ａ２外に出てその中継器２の送受信回路２９が管理ＩＣタグＴ１からの信号を受信できなくなり、その管理ＩＣタグＴ１からの受信した信号を中継器２が管理ＩＣタグＴ１に送信できなくなったときは（Ｓ１０２Ｙ、Ｓ１０６Ｎ）、管理システム本体１のＬＥＤ５が点滅点灯する。あるいは図示しないスピーカから所定の警報音が発生される。あるいはＬＥＤ１２が点滅点灯する。あるいは図示しないバイブレータが起動されて管理システム本体１が振動して、管理ＩＣタグＴ１に係る携帯品に置き忘れ等の異常が発生したことが報知される（Ｓ１０８）。したがって、利用者イは、この報知により管理ＩＣタグＴ１が取り付けられている携帯品の異常に気が付き、携帯品の置き忘れ等を未然に防止することができる。
【００２９】
なお、交信範囲Ａ１，Ａ２外に出たときの警告は、ＬＥＤ５〜１３の点滅点灯、警報音の発生、バイブレータの振動等によるものとしたが、これらを単独あるいは適宜に組合せてもよく、また、これらに限定されない。
【００３０】
なお、図７のフローチャートでは、管理ＩＣタグＴ１は、中継器２を介してのみ管理システム本体１に信号が送出されるように示されているが、管理ＩＣタグＴ１が管理システム本体１の交信範囲Ａ１内のときは、中継器２を介することなく直接に管理ＩＣタグＴ１の送受信回路２１に受信される。つまり、この管理ＩＣタグＴ１は、管理システム本体１の交信範囲Ａ１内のときは、直接管理システム本体１で管理・監視され、管理システム本体１の交信範囲Ａ１外で、かつ中継器２の交信範囲Ａ２内のときは、中継器２を介して管理システム本体１で管理・監視される。
【００３１】
管理ＩＣタグＴ２〜管理ＩＣタグＴ５も、管理ＩＣタグＴ１と同様に管理システム本体１で管理・監視される（Ｓ１１０〜Ｓ１２４）。そして、このような管理・監視は、管理システム本体１の図示しないスイッチがＯＦＦされるまで継続される（Ｓ１２６Ｙ）。
【００３２】
なお、上述の例では、管理システム本体１で全ての管理ＩＣタグＴ１〜Ｔ５を管理するようにしたが、一部の管理ＩＣタグ、例えば、管理ＩＣタグＴ１及び管理ＩＣタグＴ２のみを使用し、管理ＩＣタグＴ３〜管理ＩＣタグＴ５を不使用のときは、管理システム本体１に管理ＩＣタグを選択するスイッチを設けて、これら管理ＩＣタグＴ３〜管理ＩＣタグＴ５からの信号受信を受信しないようにすることもできる。
【図面の簡単な説明】
【００３３】
【図１】本発明に係る携帯品管理システムの一使用例を示す説明図である。
【図２】同じく管理システム本体の正面図である。
【図３】同じく中継器の正面図である。
【図４】同じく管理ＩＣタグの正面図である。
【図５】同じくブロック図である。
【図６】同じく交信範囲を示す説明図である。
【図７】同じく制御動作を示すフローチャートである。
【符号の説明】
【００３４】
１…管理システム本体                    ２…中継器
３…取付紐                              ４…取付携帯孔
５〜１３…ＬＥＤ                        １４…取付紐
１５…取付携帯孔                        １６…取付紐
１７…取付携帯孔                        １８…メモリ
１９…ＣＰＵ                            ２０…アンテナ
２１…送受信回路                        ２２…Ｉ／Ｏユニット
２３…ＬＥＤドライバ                    ２４…音声ドライバ
２５…振動ドライバ                      ２６…電池
２７…スイッチ回路                      ２８…アンテナ
２９…送受信回路                        ３０…電力生成回路
３１…アンテナ                          ３２…送受信回路
３３…電力生成回路                      Ｔ１〜Ｔ５…管理ＩＣタグ
Ａ１，Ａ２…交信範囲                    イ…利用者
【図１】
2007233510.tif 000003
【図２】
2007233510.tif 000004
【図３】
2007233510.tif 000005
【図４】
2007233510.tif 000006
【図５】
2007233510.tif 000007
【図６】
2007233510.tif 000008
【図７】
2007233510.tif 000009